(57)【要約】【課題】  電気掃除機から集塵袋を取り出して塵埃を廃棄する際に、塵埃が外部に洩れることを防止することが課題であった。【解決手段】  集塵袋３１に設けた支持枠体３４に有する挿入口３６の周囲に、周辺部にスリット３８を設けた伸縮自在なシート体３５の外周部を接着して挿入口３６を覆い、吸込ホース６の端部に設けたホース接続管７を支持枠体３４の挿入口３６に挿入することにより、シート体３５を押圧してスリット３８を引き伸ばすことにより吸引開口４１を形成するとともに、ホース接続管７を支持枠体３４の挿入口３６から引き出すことにより吸引開口４１をスリット３８に復帰させて挿入口３６を覆い、集塵袋３１を取り出して塵埃を廃棄する際に塵埃が外部に洩れることを防止した電気掃除機である。【選択図】  図２
2008245976.tif 000002
【特許請求の範囲】
【請求項１】
掃除機本体に内蔵した電動送風機と、この電動送風機の吸引側に設けられた集塵室と、この集塵室に着脱可能に収容され、吸引された塵埃をろ過して集積可能な袋状部を有し、この袋状部の開口部に挿入口を一致させて接着した支持枠体を備え、この支持枠体に外周部が接着されて前記挿入口を覆うとともに周辺部にスリットを有する伸縮自在なシール体を設けた集塵袋と、前記集塵室に連通して設けたホース接続口に接続され、前記シール体の中央部を前記袋状部の内方に押圧し前記スリットを引伸ばして吸引開口を形成させるとともに、端部側面に吐出口を設けたホース接続管と、前記吸引開口が形成された状態で前記ホース接続管を前記ホース接続口に保持可能なロック機構と、前記ホース接続管に連結され床面から塵埃を吸引する吸込口体に直接または間接に連通接続された吸込ホースとを設けたことを特徴とする電気掃除機。
【請求項２】
前記ホース接続管が前記シール体の中央部を前記袋状部の内方に押圧した際に、前記シール体の中央部が前記ホース接続管の先端管口を閉鎖することを特徴とする請求項１記載の電気掃除機。
【請求項３】
掃除機本体に内蔵した電動送風機と、この電動送風機の吸引側に設けられた集塵室と、この集塵室に着脱可能に収容され、吸引された塵埃をろ過して集積可能な袋状部を有し、この袋状部の開口部に挿入口を一致させて接着した支持枠体を備え、この支持枠体に外周部が接着されて前記挿入口を覆うとともに周辺部にスリットを有する伸縮自在なシール体を設けた集塵袋と、前記集塵室に連通して設けたホース接続口に接続され端部側面に吐出口を設けたホース接続管と、このホース接続管の先端管口に取付けられ、前記シール体の中央部を前記袋状部の内方に押圧し前記スリットを引伸ばして吸引開口を形成させるシート体押圧部を有する管口閉鎖体と、前記スリットを引伸ばして前記吸引開口が形成された状態で前記ホース接続管を前記ホース接続口に保持可能なロック機構と、前記ホース接続管に連結され床面から塵埃を吸引する吸込口体に直接または間接に連通接続する吸込ホースとを設けたことを特徴とする電気掃除機。
【請求項４】
前記管口閉鎖体は、先端に前記シート体押圧部を有し、後端に気流を前記吐出口に導く整流面を備えた整流部を有することを特徴とする請求項３項記載の電気掃除機。
【発明の詳細な説明】
【技術分野】
【０００１】
本発明は、電動送風機により吸引された塵埃をろ過して集積する集塵袋が、着脱可能に取付けられる電気掃除機に関する。
【背景技術】
【０００２】
従来の電気掃除機の集塵袋は、例えば特許文献１に示されるように、集塵室に収容された通気性を有する集塵室用袋体の開口部周囲には、中央部に集塵孔が設けられた厚紙の支持板が接着されている。この支持板の表面には２本のガスケットを介し、掃除機ホース等の挿入部が円形に開口されたシール弁が接着されている。
【０００３】
このシール弁は、ゴムシートなどの素材により柔軟性を有し、外径が支持板の集塵孔より大きく、内径が掃除機ホース基端部の外径よりも十分に小さいドーナツ板状に形成されている。これにより、清掃作業の開始時に電気掃除機に取付けられたこの集塵用袋体に有するシール弁の挿入部に掃除機ホースの基端部を挿入すると、シール弁がホース基端部の外周部をシールする。
【０００４】
この特許文献１には、上記したホース挿入部とは異なる他の実施例として、支持板の集塵孔と等しい外径で放射状にスリットを多数形成し、これらのスリットをホース基端部の挿入部とするシール弁を設けた集塵袋が示されている。（特許文献１参照）
【０００５】
また、従来の他の電気掃除機の集塵袋として、例えば技術文献２に示されるように、電気掃除機の集塵袋となる粉塵袋の開口部に設けた支持板である固定エリアに、直交する２本の切込みスリットを有する気密膜を設けて、この挿入部となるスリットにより、挿入されたホース基端部の気密性を確保する構造が示されている。（特許文献２参照）
【０００６】
上記特許文献１の電気掃除機の集塵袋において、前者の場合は、シール弁から吸込ホースの基端部を引き抜いた際、および集塵袋を掃除機本体から取出して塵埃とともに廃棄する際に、円形のホース挿入部から塵埃が空気とともに放出されることや、外部に落下することが多く非衛生であった。後者の場合は、吸込ホースがシール弁に挿入された状態ではリング状のガスケットが無いと気密性の保持が困難であり、またシール弁から吸込ホースを引抜いた状態では、スリットが放射状に多数あるためにその復元力が弱く、挿入部から塵埃が放出されることや落下することがあった。
【０００７】
上記特許文献２の電気掃除機の集塵袋においては、気密膜に設けた直交する切込スリットからなる挿入部に吸込ホースの挿入を繰返すことにより、切込スリットの両端が裂けて外方に拡大し気密性の保持が困難となることや、また吸込ホースを挿入部から引き抜いた状態では、切込スリットが開いたままとなって塵埃が外部に放出または落下することがあるため、開閉蓋である閉鎖フラップが必要となった。
【特許文献１】実公平６−２５２４９号公報（第３頁、図１、図４）
【特許文献２】特表平９−５０５７５０号公報（第８頁、図１）
【発明の開示】
【発明が解決しようとする課題】
【０００８】
従来のこれらの電気掃除機は、集塵袋の挿入口に閉鎖フラップなどを設けない限り、吸込ホースに連通する接続管を引き抜いた状態では、集塵袋に集積された塵埃が挿入口から外部に洩れることがあった。
【０００９】
本発明は、上記事情によりなされたものであって、接続管を引き抜き掃除機本体から集塵袋を取り出して塵埃を廃棄する際に、塵埃が集塵袋から外部に洩れることの無い電気掃除機を提供することを目的とする。
【課題を解決するための手段】
【００１０】
本発明は、掃除機本体に内蔵した電動送風機と、この電動送風機の吸引側に設けられた集塵室と、この集塵室に着脱可能に収容され、吸引された塵埃をろ過して集積可能な袋状部を有し、この袋状部の開口部に挿入口を一致させて接着した支持枠体を備え、この支持枠体に外周部が接着されて前記挿入口を覆うとともに周辺部にスリットを有する伸縮自在なシール体を設けた集塵袋と、前記集塵室に連通して設けたホース接続口に接続され、前記シール体の中央部を前記袋状部の内方に押圧し前記スリットを引伸ばして吸引開口を形成させるとともに、端部側面に吐出口を設けたホース接続管と、前記吸引開口が形成された状態で前記ホース接続管を前記ホース接続口に保持可能なロック機構と、前記ホース接続管に連結され床面から塵埃を吸引する吸込口体に直接または間接に連通接続された吸込ホースとを設けた電気掃除機としたことを特徴とする。
【発明の効果】
【００１１】
本発明は、塵埃を廃棄する際に集塵袋から塵埃が外部に洩れることが無い電気掃除機を提供することができる。
【発明を実施するための最良の形態】
【００１２】
以下、本発明による電気掃除機の実施態様について、図１から図９を参照して説明する。
【実施例１】
【００１３】
図１は、この発明の１つの実施形態に係る電気掃除機１を示し、この電気掃除機１の掃除機本体２には、その後方両側に一対となった移動用の後輪３が取付けられている。また、掃除機本体２の前部には、上方に開閉可能な蓋体４が設けられ、その前端部にはホース接続口５を有している。このホース接続口５には、可撓性を有する吸込ホース６の一端部に設けたホース接続管７が挿脱可能に差込まれている。
【００１４】
また、吸込ホース６の他端部には、複数の操作ボタン１０を有する操作ハンドル１１が一体的に取付けられている。また、操作ハンドル１１には、先端に吸込口体１２を取付けた延長管１３が着脱可能に設けられている。
【００１５】
次に、図２により、掃除機本体２の内部を説明すると、一対の後輪３の中間部上方に位置して電動送風機１５が内蔵されている。この電動送風機１５は、電動部１６によりファン１７を回転させて、塵埃が混在した空気を床面等から吸引することが可能な吸引力を備えている。
【００１６】
電動送風機１５の前方には、仕切体２０によって支持された保護枠２１が設けられ、この保護枠２１は多数のリブ２２やバー２３を有し、これらは気流を通過させて混在する微細塵を補完的に捕捉する肉厚のウレタンフォーム２４を保持している。また、掃除機本体２の前方下部中央には、回動軸２６を中心にして左右方向に支持アーム２７が回動自在な１個の前輪２８が取付けられている。
【００１７】
また、保護枠２１の前方にある集塵室３０には、図２、図３、図４に示したような集塵袋３１が収容されている。この集塵袋３１は、ろ過機能を有して内部に塵埃が集積可能となった通気性がある袋状部３２と、この袋状部３２の開口部３３が接着された支持枠体３４と、この支持枠体３４に外周部が接着された円形のシール体３５とから構成されている。
【００１８】
支持枠体３４は、外形がほぼ４角形をなした厚紙からなり、中央部には貫通する円形の挿入口３６が設けられ、その周囲には袋状部３２の開口部３３が接着されている。シール体３５は、０．３から０．５ミリメートル程度の厚さを有して極めて伸縮性が高い天然ゴムを素材としており、その外周部３７は袋状部３２の開口部３３が接着された支持枠体３４の内側の位置に接着され、中央部は支持枠体３４の挿入口３６を覆っている。
【００１９】
図５は、掃除機本体２に取付ける前の集塵袋３１における支持枠体３４と、この支持枠体３４に接着された平板状のシール体３５とを示している。この平板状で伸縮自在なシール体３５は、その外周部３７を支持枠体３４に接着し、挿入口３６を閉鎖したような状態に覆っている。また、このシール体３５の周辺部には、挿入口３６を形成する円弧とほぼ平行で、かつその円弧の中心点を対称とした左右一対のスリット３８が切り込まれている。
【００２０】
また、図２に示す支持枠体３４が位置する掃除機本体２には、断面がコの字状の溝部を開口した図示しない一対のガイドレールが、その溝部の開口を互いに対向させて上下方向に平行して設けられている。集塵袋３１に有する支持枠体３４は、その両側がこれらのガイドレールの両側の溝部に上方から挿脱可能に挿入され、バネで付勢された回動するストッパー３９により下方および掃除機本体２の先端側に押圧され保持されている。集塵袋３１の取り付け、取り出し作業は、掃除機本体２に設けた蓋体４を開閉して行うことができる。
【００２１】
また、掃除機本体２の先端に有するホース接続口５には、前述したようにホース接続管７が挿入されているが、このホース接続管７の先端部は、支持枠体３４の挿入口３６から集塵袋３１の袋状部３２の内部まで挿入されている。このときシール体３５の中央部は、ホース接続管７の先端管口４０に密着しこれを閉鎖した状態で袋状部３２の内部に押圧され引き伸ばされている。このシール体３５が引き伸ばされた状態では、図３、図４に示したように、２個のスリット３８もホース接続管７の挿入方向に引き伸ばされて左右に１対の吸引開口４１が形成されている。
【００２２】
このようにシール体３５が引き伸ばされた状態では、シール体３５の反発力によりホース接続管７をホース接続口５から押し出す方向に作用するが、ホース接続口５に設けられたロック機構４５により固定されている。このロック機構４５は、スプリング４６により上方に押圧されたストップレバー４７の爪４８が、ホース接続口５の上部のある係合孔４９に係合して固定されている。
【００２３】
ホース接続管７の端部側面には、水平方向の側面に１対となって４角形の吐出口５０が設けられている。この左右の吐出口５０は、シール体３５の左右に設けたスリット３８が引き伸ばされて形成された吸引開口４１に近接している。
【００２４】
次に、この電気掃除機１により清掃作業を行う場合につき説明する。掃除機本体２または操作ハンドル１１の操作ボタン１０に有する図示しない電源スイッチをオンにして電動送風機１５を駆動する。この電動送風機１５による吸引力により床面などの被清掃面から吸込口体１２が吸引した空気と塵埃は、延長管１３、吸込ホース６の内部を通過してホース接続管７の先端部に達する。
【００２５】
そして、ホース接続管７の先端管口４０がシール体３５の中央部で閉鎖されているため、塵埃が混在する気流は左右の吐出口５０から流出してシール体３５の１対の吸引開口４１から集塵袋３１の袋状部３２に流入する。その後この袋状部３２はろ過作用があることから、空気は袋状部３２の外周部にある集塵室３０に流出し、塵埃はろ過されて内部に集積される。袋状部３２から流出した空気は、保護枠２１により保持されたウレタンフォーム２４を通過して、電動送風機１５の内部を経由し掃除機本体２の外方に放出される。
【００２６】
次に、集塵袋３１の袋状部３２に塵埃が満杯に集積され、電動送風機１５の駆動を停止させて集塵袋３１を廃棄する場合について説明する。まず電源スイッチをオフにして電動送風機１５を停止させた後に、ロック機構４５のストップレバー４７を押し下げて、爪４８と係合孔４９との係合を外し、掃除機本体２のホース接続口５からホース接続管７を引抜く。
【００２７】
これによりシール体３５は、引き伸ばされた状態から縮小することにより吸引開口４１が元のスリット３８に戻るとともに、支持枠体３４の挿入口３６を閉鎖する平板状となる。これによりシート体３５は図５に示す状態に戻って、袋状部３２に集積された塵埃が挿入口３６から外方に洩れることがなくなった。次に、掃除機本体２の開閉可能な蓋体４を上方に開いてストッパー３９を回動すれば、集塵袋３１を掃除機本体２から上方に取り出して廃棄することができる。
【実施例２】
【００２８】
次に、集塵袋３１の袋状部３を省略した図６から図８により、他の実施例を説明する。図６は、ホース接続管７の先端管口４０に挿入される管口閉鎖体５５を示している。この管口閉鎖体５５は、全体の外観がほぼ円柱形状をしており、上面には断面がほぼ台形状をして両側に第１の整流面５６を有する整流部５７を有している。また、この整流部５７の両側中央部には、第１の整流面５６に連続するように水平方向に向かって一定巾の第２の整流面５８をそれぞれ有している。
【００２９】
さらにこの第２の整流面５８の端部に位置して、管口閉鎖体５５の外周に巻きつけられた環状のゴムパッキン６０が取付けられている。また、このゴムパッキン６０から所定の間隔を置いて外周が大きくなったストップ鍔部６１が設けられている。さらにこのストップ鍔部６１の下方には、シート体押圧部６２を有している。
【００３０】
次に図７、図８により、この管口閉鎖体５５をホース接続管７の先端管口４０に挿入して、このホース接続管７を掃除機本体２に取付けた状態を説明する。管口閉鎖体５５は、ストップ鍔部６１がホース接続管７の先端管口４０に密着するまで挿入され、ゴムパッキン６０の外周はホース接続管７の内壁に嵌合している。また、整流面５８の端部は、ホース接続管７の端部側面に設けた左右の吐出口５０に一致している。
【００３１】
そして、支持枠体３４の挿入口３６から集塵袋３１の袋状部３２の内部まで挿入されたホース接続管７は、管口閉鎖体５５のシート体押圧部６２によりシート体３５を押し下げて引き伸ばすとともに、スリット３８を引き伸ばして吸引開口４１を形成させている。
【００３２】
この管口閉鎖体５５をホース接続管７に取付けて、掃除機本体２のホース接続口５に接続することにより、清掃作業を開始してホース接続管７の先端部に到達した気流は、管口閉鎖体５５の上部にある整流部５７の両側に設けられた整流面５６、整流面５８により２分流されて円滑にガイドされ、吐出口５０を通過してシート体３５の吸引開口４１から集塵袋３１の袋状部３２に流入していく。
【００３３】
そして、この清掃作業により袋状部３２に塵埃が満杯になり、集塵袋３１を掃除機本体２から取り出す作業は、前述の説明と同様に行うことができる。この際、ゴムパッキン６０を設けたことにより、管口閉鎖体５５がホース接続管７の先端管口４０から落下することはない。
【００３４】
なお、図６、図７においては、シート体押圧部６２の下端面をほぼ平坦にしたが、シート体３５を押し下げて均一に引き伸ばすために、下端面を円弧または球面とすることもできる。
【００３５】
図９は、ホース接続管７に設けた吐出口５０の他の形状を示すもので、先端管口４０を切り欠いて１個または複数個の吐出口５０を形成することもできる。
【００３６】
本発明は、上記実施例において電動送風機と集塵室とを一つの容器である掃除機本体に内蔵させたが、これらの電動送風機と集塵袋を収容する集塵室とをそれぞれ別々の容器に内蔵させて、これらの容器をホースなどで連通接続させた電気掃除機にも適用できるものである。
【００３７】
また、支持枠体に対する袋状部およびシール体の接着は、化学的な接着剤による接着に限らず、糸を用いた縫製による接着であっても良い。
【００３８】
さらに、シール体に設けたスリットの形状は、円弧状に限らず直線的であっても良い。すなわち、ホース接続管が支持枠体の挿入口から引抜かれたときに、シート体の吸引開口が元のスリット状態に戻れば良いものである。
【００３９】
以上説明したように、本発明は上記実施の形態に限定されるものではなく、その趣旨を逸脱しない範囲で変形することが可能である。
【図面の簡単な説明】
【００４０】
【図１】本発明による電気掃除機の斜視図である。（実施例１）
【図２】図１に示す電気掃除機における掃除機本体の一部断面図である。
【図３】図１に示す電気掃除機の集塵袋とホース接続管との斜視図である。
【図４】図３に示す集塵袋とホース接続管との断面図である。
【図５】図１に示す電気掃除機の支持枠体とシール体との使用前の正面図である。
【図６】本発明による他の電気掃除機における管口閉塞体の斜視図である。（実施例２）
【図７】図６に示す管口閉塞体をホース接続管に取付けて集塵袋に挿入した状態の一部断面図である。
【図８】図７に示す管口閉塞体をホース接続管に取付けた状態の斜視図である。
【図９】本発明による他の電気掃除機における管口閉塞体をホース接続管に取付けた状態の斜視図である。
【符号の説明】
【００４１】
１  電気掃除機  
２  掃除機本体  
５  ホース接続口  
６  吸込ホース  
７  ホース接続管  
１２  吸込口体  
１５  電動送風機  
３０  集塵室  
３１  集塵袋  
３２  袋状部  
３３  開口部  
３４  支持枠体  
３５  シール体  
３６  挿入口    
３８  スリット  
４１  吸引開口  
４５  ロック機構  
５０  吐出口  
５５  管口閉鎖体  
５７  整流部  
６２  シート体押圧部  
【図１】
2008245976.tif 000003
【図２】
2008245976.tif 000004
【図３】
2008245976.tif 000005
【図４】
2008245976.tif 000006
【図５】
2008245976.tif 000007
【図６】
2008245976.tif 000008
【図７】
2008245976.tif 000009
【図８】
2008245976.tif 000010
【図９】
2008245976.tif 000011